(57)【要約】【課題】コネクタとの電気的接続の保守点検が容易であって配線の影が映らないようにすることができる照明装置を提供する。【解決手段】筒状に形成され、軸心を鉛直方向に向けて配設される透明または半透明の透光性カバー２と、カバー２の上部に着脱可能に取付けられた蓋部３と、カバー２の内部に概略同心状に設けられた筒体４と、筒体４の外側に、カバー２の半径方向の複数方向へ光を出射するように配設された多数のＬＥＤ素子５と、カバー２の内部であって蓋部３の近傍に設けられて、ＬＥＤ素子５に電気的に接続されたコネクタ６と、電源とコネクタ６とを電気的に接続するもので、筒体４の下端開口４ｂから内部を通ってコネクタ６に接続された配線８とを具備する。【選択図】図２
2010015982.tif 000002
【特許請求の範囲】
【請求項１】
筒状に形成され、軸心を鉛直方向に向けて配設される透明または半透明の透光性カバーと、
前記カバーの上部に着脱可能に取付けられた蓋部と、
前記カバーの内部に概略同心状に設けられた筒体と、
前記筒体の外側に、前記カバーの半径方向の複数方向へ光を出射するように配設された多数のＬＥＤ素子と、
前記カバーの内部であって前記蓋部の近傍に設けられて、前記ＬＥＤ素子に電気的に接続されたコネクタと、
電源と前記コネクタとを電気的に接続するもので、前記筒体の下端開口から内部を通って前記コネクタに接続された配線とを具備することを特徴とする照明装置。
【請求項２】
請求項１に記載の照明装置において、
前記筒体が多角形筒状に形成され、各面に前記ＬＥＤ素子が設けられていて、周囲全体に光を放射するように構成されていることを特徴とする照明装置。
【請求項３】
請求項１または２に記載の照明装置において、
前記カバーが地面に立設されていて、地中を通るケーブルに前記配線が電気的に接続されていることを特徴とする照明装置。
【請求項４】
請求項１〜３のいずれか一項に記載の照明装置において、
前記筒体とカバーとの間に配置され、前記ＬＥＤ素子から出射された光の色を変換させる着色透光性の色変換筒体をさらに具備することを特徴とする照明装置。
【発明の詳細な説明】
【技術分野】
【０００１】
本発明は、屋内は勿論のこと、屋外においても設置することができる照明装置に関する。
【背景技術】
【０００２】
上述した照明装置の一例として、円筒形をしたグローブの軸心を鉛直方向に配することで、そのグローブの内側に設けたＬＥＤランプが下端部に位置するようになし、かつＬＥＤランプが上向きになるようにした照明装置が知られている（例えば、特許文献１等参照）。
【先行技術文献】
【特許文献】
【０００３】
【特許文献１】特開２００２−２３７２０３号公報
【発明の概要】
【発明が解決しようとする課題】
【０００４】
ところで、上記提案の照明装置にあっては、前記グローブの軸心方向で光の強度が強く、グローブの径方向への光照射があまり行われないものであるため、例えば照明装置の周囲を照らすような用い方には適さなかった。
【０００５】
そこで、周囲を照らすことに適した照明装置として、グローブの軸心方向に沿って多数のＬＥＤ素子を配した構成とすることが考えられる。
【０００６】
しかしながら、このような構成の照明装置を屋外に設置する場合、外部電源と接続した外部配線を照明装置の下部から内部へ導入し、照明装置の内部であってその下部にコネクタに接続したときには、コネクタとの電気的接続の保守点検が困難となり、逆にコネクタを照明装置の内部であってその上部に配したときには、コネクタに電気的に接続させた配線の影が映るという欠点があった。
【０００７】
本発明は、このような従来技術の課題を解決するためになされたもので、コネクタとの電気的接続の保守点検が容易であって配線の影が映らないようにすることができる照明装置を提供することを目的とする。
【課題を解決するための手段】
【０００８】
本発明に係る照明装置は、筒状に形成され、軸心を鉛直方向に向けて配設される透明または半透明の透光性カバーと、前記カバーの上部に着脱可能に取付けられた蓋部と、前記カバーの内部に概略同心状に設けられた筒体と、前記筒体の外側に、前記カバーの半径方向の複数方向へ光を出射するように配設された多数のＬＥＤ素子と、前記カバーの内部であって前記蓋部の近傍に設けられて、前記ＬＥＤ素子に電気的に接続されたコネクタと、電源と前記コネクタとを電気的に接続するもので、前記筒体の下端開口から内部を通って前記コネクタに接続された配線とを具備することを特徴とする。
【０００９】
本発明の請求項２に係る照明装置は、請求項１に記載の照明装置において、前記筒体が多角形筒状に形成され、各面に前記ＬＥＤ素子が設けられていて、周囲全体に光を放射するように構成されていることを特徴とする。
【００１０】
本発明の請求項３に係る照明装置は、請求項１または２に記載の照明装置において、前記カバーが地面に立設されていて、地中を通るケーブルに前記配線が電気的に接続されていることを特徴とする。
【００１１】
本発明の請求項４に係る照明装置は、請求項１〜３のいずれか一項に記載の照明装置において、前記筒体とカバーとの間に配置され、前記ＬＥＤ素子から出射された光の色を変換させる着色透光性の色変換筒体をさらに具備することを特徴とする。
【発明の効果】
【００１２】
本発明にあっては、カバー上部の蓋部の近傍に配したコネクタに筒体の内側を通って配線が導かれているので、配線の影を映らないようにすることができる。また、コネクタがカバー上部に設けられ、蓋部を取り外すことにより、コネクタとの電気的接続の保守点検を容易に行うことができる。
【００１３】
請求項２の発明による場合には、多角形筒体の各面が向く方向に光を放射することができ、これによりカバーの周囲の全方向を明るくすることができる。
【００１４】
請求項３の発明による場合には、カバーを地面に立設していても、コネクタがカバー上部に設けられているので、コネクタとの電気的接続の保守点検が容易である。
【００１５】
請求項４に係る発明による場合は、ＬＥＤ素子から出射された光の色を、透光性の色変換筒体で変換させることができる。例えば、ＬＥＤ素子の光の色が白色である場合、これを青色にしたい時には、多数のＬＥＤ素子を青色のものに全て交換しなければならない。このことは、交換に手間がかかるのみならず、色の異なる多数のＬＥＤ素子を保管しなければならない不便がある。これに対して、例えば青色に着色した透光性の色変換筒体を筒体とカバーとの間に配置するだけで、ＬＥＤ素子の光の色が白色であっても、カバー全体は、青色の光で照明されるようになる。
【図面の簡単な説明】
【００１６】
【図１】本発明の一実施形態に係る照明装置を示す正面断面図である。
【図２】図１の照明装置を拡大して示す正面断面図である。
【図３】図１の照明装置の上部を更に拡大して示す正面断面図である。
【図４】図３の平面図である。
【図５】本発明の複数の照明装置の下部を地中に埋設した例を示す図である。
【図６】本発明の色変換筒体であり、（ａ）は斜視図、（ｂ）は拡大平面図である。
【発明を実施するための形態】
【００１７】
以下に、本発明を具体的に説明する。
【００１８】
図１は本発明の一実施形態に係る照明装置を示す正面断面図であり、図２はその照明装置を拡大して示す正面断面図で、図３は同じく照明装置の上部を更に拡大して示す正面断面図で、図４は図３の平面図である。
【００１９】
この照明装置１は、円筒状に形成されたカバー２と、カバー２の上部に着脱可能に取付けられた蓋部３と、カバー２の内部に設けられた筒体４と、筒体４の外側に配設された多数のＬＥＤ素子５と、カバー２の内部であって蓋部３の近傍に設けられ、各ＬＥＤ素子５と電気的に接続されたコネクタ６と、図示しない電源とコネクタ６とを電気的に接続する配線８とを具備する。なお、図１と図３はコネクタ６を省略して示す。
【００２０】
カバー２は、透光性の合成樹脂、例えばＦＲＰ（Ｆｉｂｅｒ  Ｒｅｉｎｆｏｒｃｅｄ  Ｐｌａｓｔｉｃｓ）からなり、軸心を鉛直方向に向けた状態で下部が地面１４に埋設されている。地表部分には、化粧リング１７がカバー２の外側に設けられている。
【００２１】
蓋部３は、例えばアルミニウム鋳物などの金属からなり、ショットブラスト後に化成被膜処理を行って外側の表面に塗装が施されたもので、カバー２の上端を包囲する円筒部３ａと、円筒部３ａの上端開口を塞ぐ円板状の天井部３ｂとを有し（図２、図３参照）、円筒部３ａの内側にカバー２の上端部を入れて取付けられる。この取付けは、円筒部３ａの等配位置、例えば２等配の位置に設けた取付孔３ｃと、カバー２の上端部に取付孔３ｃと対応する位置に同数で設けた取付孔２ｃとを一致させ、外側から内側の取付孔２ｃに達するようにねじ１１が螺入されることで行われる。
【００２２】
筒体４は、例えば断面形状が矩形状をした金属製の角パイプで（図４参照）、カバー２の内部に概略同心状に設けられる。この断面矩形状の筒体４の４側面のそれぞれには、カバー２の軸心方向に沿って多数のＬＥＤ素子５が設けられており、これらＬＥＤ素子５は、カバー２の軸心を中心として４方向に向けて配されている。よって、カバー２の半径方向の４方向（９０゜間隔で異なる方向）へ光が出射し、カバー２の周囲の全方向を明るくすることができる。なお、図４中の５ａは、ＬＥＤ素子５に設けられた基板であり、筒体４の４側面に貼着されている。
【００２３】
ＬＥＤ素子５と筒体４とは、照明装置本体１０を構成し、この照明装置本体１０の下端部がカバー２の内部に設けた支持部材１２により下側から支持され、照明装置本体１０の上部は拘束部材１３により拘束される。拘束部材１３は照明装置本体１０の外径よりも大きい内径の貫通孔１３ａを有し、この貫通孔１３ａにより上述のように照明装置本体１０の上部が拘束されるとともに照明装置本体１０の挿通が可能となっている。
【００２４】
上記拘束部材１３は、貫通孔１３ａを挟む両側が上方に折り曲がった後に水平方向外側へ向けて延出した一対の端部１３ｂを有し（図４参照）、これら両端部１３ｂがカバー２の上端面と蓋部３の内面との間で挟持される（図３参照）。
【００２５】
この拘束部材１３の上面と蓋部３の内面との間の隙間には、前記コネクタ６が設けられている。このコネクタ６には、内部配線７を介してＬＥＤ素子５のそれぞれが電気的に接続される。また、このコネクタ６には、図示しない電源からカバー２の下端開口及び筒体４の下端開口４ｂを経て（図２参照）、筒体４の内部を通る前記配線８が電気的に接続される。
【００２６】
内部配線７は、図２に示すように、４つの基板５ａのそれぞれの内面（筒体４側）に形成したプリント配線７ａと、これら４つのプリント配線７ａのコネクタ６側の一端が連結された端子部７ｂと、同じく４つのプリント配線７ａの他端が連結された端子部７ｃと、コネクタ６側の端子部７ｂとコネクタ６とを電気的に接続する配線７ｄとを有する。この配線７ｄは遮光性の蓋部３で覆われている。なお、図２では１つの基板上のプリント配線７ａを表している。また、上記プリント配線７ａは、基板５ａの外側に形成してもよい。
【００２７】
したがって、このように構成された本実施形態に係る照明装置１にあっては、カバー２の上部に設けた蓋部３の近傍に配したコネクタ６に筒体４の内側を通って配線８が導かれているので、配線８の影を映らないようにすることができる。また、コネクタ６がカバー２上部に設けられ、蓋部３を取り外すことにより、コネクタ６との電気的接続の保守点検を容易に行うことができる。特に、カバー２の下部を地面１４に立設していても、コネクタ６がカバー２の上部に設けられているので、コネクタ６との電気的接続の保守点検が容易である。
【００２８】
なお、上述した実施形態においては、１つの照明装置を配した例を説明しているが、本発明はこれに限らない。例えば、図５に示すように、３つの照明装置１を配し、これらを電源１５に対して地中に埋設したケーブル１６を介して直列接続してもよい。或いは、本発明はこれに限らず、２つの照明装置１を配したり、或いは４以上の照明装置１を配したりした場合にも同様にして適用することができる。また、各照明装置１と電源との接続は、直列接続に限らず、並列接続でも支障がない。上記ケーブル１６を用いる場合には、そのケーブル１６を前記配線８の代わりに用いてもよく、或いは、配線８をケーブル１６と任意の箇所で電気的に接続する構成としてもよい。
【００２９】
また、上述した実施形態では地面に下端部を埋設する場合を例に挙げているが、本発明はこれに限らず、カバーの下端に載置台を設け、この載置台を地表や屋内の床や畳上にセットするような使用方法にも適用できる。また、本発明の照明装置は、地面等に下端部を埋設することにより、照明を兼ねた車止めとして用いることもできる。
【００３０】
更に、上述した実施形態では断面形状が矩形状をした筒体４を用いているが、その筒体４としては断面形状を矩形状に限らず、他の形状に形成してもよい。例えば、断面形状が三角形や５角形以上の多角形としてもよい。
【００３１】
上述した実施形態において、例えば、ＬＥＤ素子５の光の色が白色である場合、これを青色にしたい時には、多数のＬＥＤ素子５を青色のものに全て交換しなければならない。このことは、交換に手間がかかるのみならず、色の異なる多数のＬＥＤ素子５を保管しなければならない不便がある。
【００３２】
そこで、図２に二点鎖線で示すように、筒体４とカバー２との間に、ＬＥＤ素子５から出射された光の色を変換させる着色透光性の色変換筒体３０を設ける。
【００３３】
具体的には、図６にも示すように、色変換筒体３０は、透明アクリル製の筒状体でなり、下端部３０ａを支持部材１２の突リング部１２ａに上方から外嵌するとともに、上端部３０ｂを拘束部材１３の穴部１３ａに内嵌することで、筒体４とカバー２との間に位置決めされるようになる。
【００３４】
この色変換筒体３０は、透明アクリル製の筒状体の外周囲に、例えば青色に着色した着色フィルム３１を貼り付けることで構成することができる。なお、着色フィルム３１を用いずに、色変換筒体３０全体を、例えば青色等に着色することも可能である。
【００３５】
また、着色は、単色だけに限らず、例えばストライブ等の混色にすることもできる。さらに、着色は、色だけに限らず、模様や文字等であっても良い。
【００３６】
このようにすれば、ＬＥＤ素子５から出射された光の色を、透光性の色変換筒体３０で変換させることができる。したがって、例えば青色に着色した透光性の色変換筒体３０を筒体４とカバー２との間に配置するだけで、ＬＥＤ素子５の光の色が白色であっても、カバー２全体は、青色の光で照明されるようになる。
【符号の説明】
【００３７】
１    照明装置
２    カバー
３    蓋部
４    筒体
５    ＬＥＤ素子
６    コネクタ
８    配線
１５    電源
１６    ケーブル
３０    色変換筒体
【図１】
2010015982.tif 000003
【図２】
2010015982.tif 000004
【図３】
2010015982.tif 000005
【図４】
2010015982.tif 000006
【図５】
2010015982.tif 000007
【図６】
2010015982.tif 000008